(57)【特許請求の範囲】
【請求項１】
隣接する２つの空間をなす一方の空間と他方の空間とを連通する連通口と、前記連通口と隣接する袖部とを有する建具であって、
前記袖部を形成するパネル体と、
前記２つの空間を繋ぐ下枠本体部、及び、前記下枠本体部から上方に突出されて前記パネル体の下端を保持するパネル下保持部を備えた下枠と、
を有し、
前記下枠の基となる基材は、前記下枠本体部をなす部位から上方に突出された上方突出部を有しており、
前記下枠は、
前記基材の前記上方突出部のうちの前記連通口側が切除されることにより残った部位が前記パネル下保持部をなしており、
前記下枠本体部における、切除された部位の切断面は、１本の線状をなしていることを特徴とする建具。
【請求項２】
請求項１に記載の建具であって、
前記下枠は、見込み方向において前記一方の空間側の端部が前記他方の空間側の端部より低く形成されており、
前記切断面は、上下方向において前記一方の空間側の端部と前記他方の空間側の端部との間に設けられていることを特徴とする建具。
【請求項３】
請求項１または請求項２に記載の建具であって、
前記連通口において、前記下枠の前記切断面を覆うカバー部材を有することを特徴とする建具。
【請求項４】
請求項１乃至請求項３のいずれかに記載の建具であって、
前記下枠には、前記パネル下保持部の前記他方の空間側に、見付け方向に沿って第１溝部が形成されていることを特徴とする建具。
【請求項５】
請求項３に記載の建具であって、
前記パネル下保持部の前記切断面より、見込み方向における前記一方の空間側に見付け方向に沿って第２溝部が形成されており、
前記カバー部材は、前記第２溝部に挿入されていることを特徴とする建具。
【請求項６】
請求項５に記載の建具であって、
前記下枠には、前記パネル下保持部の前記他方の空間側に、見付け方向に沿って第１溝部が形成されており、
前記第１溝部と前記第２溝部とは、いずれも前記パネル下保持部となる前記上方突出部と隣接させて形成されることを特徴とする建具。
【請求項７】
請求項４または請求項６に記載の建具であって、
前記連通口と前記袖部とは前記下枠と接合された縦骨によって仕切られており、
前記袖部側の前記他方の空間側に浸入した水は、前記第１溝部から前記縦骨の下端部を通って前記連通口の前記下枠本体部上に至り、前記一方の空間側に排出されることを特徴とする建具。
【発明の詳細な説明】
【技術分野】
【０００１】
本発明は、隣接する２つの空間を連通する連通口と、前記連通口と隣接する袖部とを有する建具に関する。
【背景技術】
【０００２】
隣接する２つの空間を連通する連通口と、前記連通口と隣接する袖部とを有する建具としては、例えば、浴室と脱衣室との間に設けられ、見付け方向に移動可能な障子が引き込み領域に引き込まれて開放され、浴室と脱衣室との連通口となる、浴室への出入口を有する浴室建具が知られている。このような浴室建具は、引き違いタイプの建具と異なり、出入口側と壁部側とで形状や構成が相違する。例えば、下枠においては、障子をガイドするレールや、上方に立ち上がって障子の浴室側に当接されるタイト材を保持するタイト材保持部を備えた本体部とは別に、袖部を形成するパネルの下端を保持するアタッチメントが袖部側のみに設けられている場合がある（例えば、特許文献１参照）。
【先行技術文献】
【特許文献】
【０００３】
【特許文献１】特開平１１−１１７６２０号公報
【発明の概要】
【発明が解決しようとする課題】
【０００４】
上記のような建具は、下枠とは別の部材にて形成されたアタッチメントを下枠に取り付けることにより、袖部を形成するパネルの下端を保持する部位が設けられる。このため、下枠とアタッチメントとを取り付ける工程が必要であるとともに、出入口側にて不要な部位の部品点数が多くなるため、部品の管理も煩雑となり、コストも高くなるという課題がある。
【０００５】
本発明は、かかる課題に鑑みてなされたものであり、その目的とするところは、別体に形成された部材を取り付けることなく下枠の袖部側にパネル保持部を容易に備えることが可能な建具を提供することにある。
【課題を解決するための手段】
【０００６】
かかる目的を達成するために本発明の建具は、隣接する２つの空間をなす一方の空間と他方の空間とを連通する連通口と、前記連通口と隣接する袖部とを有する建具であって、前記袖部を形成するパネル体と、前記２つの空間を繋ぐ下枠本体部、及び、前記下枠本体部から上方に突出されて前記パネル体の下端を保持するパネル下保持部を備えた下枠と、を有し、前記下枠の基となる基材は、前記下枠本体部をなす部位から上方に突出された上方突出部を有しており、前記下枠は、前記基材の前記上方突出部のうちの前記連通口側が切除されることにより残った部位が前記パネル下保持部をなしており、前記下枠本体部における、切除された部位の切断面は、１本の線状をなしていることを特徴とする建具である。
【０００７】
このような建具によれば、袖部を形成するパネル体の下端を保持するパネル下保持部は、下枠本体部から上方に突出している上方突出部なので、下枠は下枠本体部とパネル下保持部とが一体をなしている。このため、下枠の下枠本体部にパネル下保持部を取り付ける必要はない。すなわち、別体に形成された部材を取り付けることなく、下枠の基となる基材の下枠本体部をなす部位から上方突出部の連通口側を切除するだけで、下枠の袖部側にパネル下保持部を備えることが可能である。
【０００８】
また、下枠における、切除された部位の切断面は、１本の線状をなしている。すなわち、基材の下枠本体部をなす部位と上方突出部とは、１本の線状をなす部位で繋がっている。このため、上方突出部を線状に切除するだけで、袖部側のみに、パネル下保持部を容易に形成することが可能である。また、下枠本体部とパネル下保持部とが一体なので、万一、袖部側に水等が進入したとしても、水がパネル下保持部を超えて移動することを防止することが可能である。
【０００９】
かかる建具であって、前記下枠は、見込み方向において前記一方の空間側の端部が前記他方の空間側の端部より低く形成されており、前記切断面は、上下方向において前記一方の空間側の端部と前記他方の空間側の端部との間に設けられていることが望ましい。
切断面は、パネル下保持部と繋がっていた連通口側の部分を切除した位置なので、一方の空間側と他方の空間側との境界部となる。このため、切断面が、上下方向において他方の空間側の端部と、他方の空間側の端部より低い位置に設けられている一方の空間側の端部との間に配置されているので、一方の空間側から他方の空間側への水の進入を抑えることが可能である。また、連通口側では、上方突出部が切除されているので、切断面より他方の空間側に進入した水を、より低い一方の空間側に排出することが可能である。
【００１０】
かかる建具であって、前記連通口において、前記下枠の前記切断面を覆うカバー部材を有することが望ましい。
このような建具によれば、下枠の切断面はカバー部材により覆われるので、連通口にて出入りする人が、直接切断面を踏むことを防止することが可能である。
【００１１】
かかる建具であって、前記下枠には、前記パネル下保持部の前記他方の空間側に、見付け方向に沿って第１溝部が形成されていることが望ましい。
このような建具によれば、見付け方向に沿って形成された第１溝部は、袖部側では、他方の空間側に進入した水等を表面から逃がす部位として機能させることが可能である。
【００１２】
かかる建具であって、前記パネル下保持部の前記切断面より、見込み方向における前記一方の空間側に見付け方向に沿って第２溝部が形成されており、前記カバー部材は、前記第２溝部に挿入されていることが望ましい。
このような建具によれば、切断面は、一方の空間側に第２溝部が配置されており、カバー部材は第２溝部に挿入されているので、切断面を確実に覆うようにカバー部材を容易に取り付けることが可能である。
【００１３】
かかる建具であって、前記下枠には、前記パネル下保持部の前記他方の空間側に、見付け方向に沿って第１溝部が形成されており、前記第１溝部と前記第２溝部とは、いずれも前記パネル下保持部となる前記上方突出部と隣接させて形成されることが望ましい。
このような建具によれば、第１溝部と前記第２溝部とは、いずれもパネル下保持部となる上方突出部と隣接させて設けられているので、パネル下保持部となる上方突出部の、見込み方向における両側は、下枠の下枠本体部の上側の表面より下方に窪んでいる。このため、連通口側の上方突出部を切除する際には、上方突出部の見込み方向の両側に空間を有しているので、刃物が下枠の下枠本体部の表面に接することなく切除することが可能であり、容易に切除することが可能である。
【００１４】
かかる建具であって、前記連通口と前記袖部とは前記下枠と接合された縦骨によって仕切られており、前記袖部側の前記他方の空間側に浸入した水は、前記第１溝部から前記縦骨の下端部を通って前記連通口の前記下枠本体部上に至り、前記一方の空間側に排出されることが望ましい。
このような建具によれば、袖部側の他方の空間側に進入した水等を第１溝部と縦骨との間を通して連通口側に排出することが可能である。
【発明の効果】
【００１５】
本発明によれば、別体に形成された部材を取り付けることなく下枠の袖部側にパネル下保持部を容易に備えることが可能な建具を提供することが可能である。
【図面の簡単な説明】
【００１６】
【図１】本実施形態に係る浴室建具の縦断面図である。
【図２】本実施形態に係る浴室建具の横断面図である。
【図３】下枠の出入口側の部位を説明するための縦断面図である。
【図４】下枠の壁部側の部位を説明するための縦断面図である。
【図５】図５（ａ）は、下枠基材を示す斜視図、図５（ｂ）は、下枠の製造過程を示す斜視図、図５（ｃ）は、カバー部材及び連通部材の取り付けを説明する斜視図、図５（ｄ）は、下枠と縦骨との接合を説明する斜視図である。
【図６】図６（ａ）は、連通部材が取り付けられた状態にて水の排出経路を示す斜視図、図６（ｂ）は、連通部材を取り外した状態にて水の排出経路を示す斜視図である。
【図７】下枠の変形例を示す縦断面図である。
【図８】カバー部材の変形例を示す縦断面図である。
【発明を実施するための形態】
【００１７】
以下、本発明の一実施形態に係る建具について図面を参照して説明する。
本実施形態においては、隣接する２つの空間を一方の空間としての浴室と他方の空間としての脱衣室とし、浴室と脱衣室とを連通する連通口としての出入口と、出入口と隣接する袖部とを有する浴室建具を例に挙げて説明する。
【００１８】
本実施形態の浴室建具１は、例えば、図１、図２に示すように、脱衣室側から見て左側の領域が閉止可能な開口でなる出入口２をなし、右側の領域が袖部３をなして、袖部３の脱衣室側を見付け方向に沿って移動する障子５が、前記出入口２を開閉可能に構成された引き込み戸タイプの建具である。
【００１９】
以下の説明においては、建物等に取り付けられた状態の浴室建具１を浴室外側、すなわち脱衣室側から見たときに、上下となる方向を上下方向、左右となる方向を左右方向または見付け方向、浴室内外方向である奥行き方向を見込み方向として示す。また、浴室建具１が備える各部材は、単体の状態であっても建物等に取り付けられた状態にて奥行き方向、左右方向、上下方向となる方向にて方向を特定して説明する。
【００２０】
浴室建具１は、浴室内外の境界に設けられる枠体１０と、枠体１０の脱衣室側の部位にて見付け方向に移動可能に設けられ、枠体１０における見付け方向の約半分の領域を開閉自在に設けられた障子５と、枠体１０が有する下枠１４に見付け方向の全域に亘って設けられ、下枠１４と障子５との間を止水する下シール材２２と、袖部３と障子５との間を止水する止水部材としての縦シール材３２と、下枠１４の袖部３側と出入口２側とを連通する連通部材５１と、下枠１４上の出入口２側に設けられ、下枠１４に嵌合されるカバー部材４０と、を有している。
【００２１】
カバー部材４０は、図３に示すように、下枠１４上に載置されるカバー本体部４０ａと、カバー本体部４０ａの下面から下方に突出されて下枠１４に嵌合される嵌合片４０ｂとを有している。カバー本体部４０ａの上面４０ｃには傾斜が設けられている。また、カバー本体部４０ａの上面４０ｃには、見付け方向に沿って窪ませた滑り止め４０ｄが設けられている。
【００２２】
枠体１０は、左右の縦枠１１、１２、上枠１３、下枠１４、及び、左右の縦枠１１、１２のほぼ中央に設けられ出入口２側と袖部３側とを仕切る縦骨２０を有している。縦骨２０は、見込み方向において左の縦枠１１の幅のほぼ半分の幅を有し、浴室側に設けられており、右の縦枠１２は見込み方向において左の縦枠１１の幅のほぼ半分の幅を有し、脱衣室側に設けられている。
【００２３】
そして、縦骨２０の脱衣室側の部位と右の縦枠１２の浴室側の部位とは、見込み方向における中央近傍にて、見付け方向に対向するように配置されており、この対向する部位にて端部が支持されて、袖部３の脱衣室側の壁面２１ａをなすパネル体２１が設けられている。
【００２４】
下枠１４は、躯体(不図示)に支持されるとともに、図１、図３に示すように、脱衣室側に設けられた額縁３０と浴室に設けられた防水パン３５との間に架け渡されている。下枠１４は、下枠１４の基となる基材としての下枠基材１４１が押出成形にて形成され、下枠基材１４１(図５)に加工が施されて形成されている。
【００２５】
下枠基材１４１は、押出成形された部材なので、同一の断面形状をなす部位が所定方向(本願では見付け方向)に繋がった形状をなしている。下枠基材１４１は、図３〜図５に示すように、最も脱衣室側に位置して額縁３０の上部に配置される、下枠１４における額縁覆部１９と、浴室と脱衣室とを繋ぐ、下枠１４における下枠本体部１７を含む基材本体部１７０と、額縁覆部１９と基材本体部１７０との間に設けられ下シール材２２が嵌合される、下枠１４における下シール材嵌合部１８と、が一体に形成されている。下枠基材１４１は、基材本体部１７０に、後述する加工が施されて下枠１４となる。
【００２６】
基材本体部１７０は、下シール材嵌合部１８と繋がって浴室側に向かって低くなる傾斜面を有する基材傾斜部１７１と、基材傾斜部１７１から上方に突出し障子５を案内するレール１７ａと、基材傾斜部１７１から上方に突出し袖部３のパネル体２１を保持するパネル下保持部１５となる上方突出部としての保持部加工部１４１ａと、を有している。そして、パネル下保持部１５は、下枠本体部１７の見込み方向におけるほぼ中央に形成されており、レール１７ａは、下シール材嵌合部１８とパネル下保持部１５との間にて、見込み方向における中央より脱衣室側に、上方に突出させて設けられている。
【００２７】
また、障子５の下框５ｂ内には、浴室側から脱衣室側に向かって突出し、レール１７ａの浴室側の部位に当接されるシール材２３が設けられている。
【００２８】
保持部加工部１４１ａは、基材傾斜部１７１から上方に立ち上がり、見付け方向に沿う面を有し鉛直板部１５ａとなる部位と、鉛直板部１５ａの上端から浴室側に延出されて上延出部１５ｂとなる部位と、上延出部１５ｂの浴室側に設けられ下方に窪みパネル体２１の下端が収容されるパネル体収容部１５ｃとなる部位とを有している。以下の説明では、保持部加工部１４１ａの説明であっても、鉛直板部１５ａとなる部位を鉛直板部１５ａ、上延出部１５ｂとなる部位を上延出部１５ｂ、パネル体収容部１５ｃとなる部位をパネル体収容部１５ｃ、と称して説明する。
【００２９】
下枠本体部１７のパネル下保持部１５の脱衣室側には、パネル下保持部１５の鉛直板部１５ａがその一部をなす第１溝部１７ｂが下方に窪ませて設けられており、パネル下保持部１５の浴室側には、第１溝部１７ｂの底部１７ｃと同じ高さをなす浴室側平面部１７ｄが設けられている。浴室側平面部１７ｄには、下方に窪む第２溝部１７ｅが設けられている。第２溝部１７ｅは、浴室側平面部１７ｄに設けられた開口部１７ｆが下方に位置する内部空間より狭く形成されており、カバー部材４０の嵌合片４０ｂが嵌合されるように形成されている。第１溝部１７ｂの底部１７ｃには、見付け方向に沿う凹凸部が設けられている。
【００３０】
開口部１７ｆを形成する脱衣室側の縁部１７ｋから上方に突出させて鉛直板部１５ａ、すなわちパネル下保持部１５が形成されている。すなわち、第１溝部１７ｂと第２溝部１７ｅとは、パネル下保持部１５(切除された部位では切断面１４ａ)の、見込み方向における両側に隣接させて設けられている。
【００３１】
下枠本体部１７のレール１７ａより脱衣室側は、ほぼ水平な面をなしており、下枠本体部１７のレール１７ａと第１溝部１７ｂとの間、及び、浴室側平面部１７ｄより浴室側は、脱衣室側から浴室側に向かって漸次低くなるような傾斜を有する、脱衣室側傾斜面１７ｇと浴室側傾斜面１７ｈとが設けられている。
【００３２】
下枠基材１４１は、図５（ａ）、図５（ｂ）に示すように、基材本体部１７０の見付け方向における中央付近にて第１溝部１７ｂより浴室側の部位が切除されて縦骨２０が組み込まれる切欠部１４１ｂが設けられ、切欠部１４１ｂより袖部３側では第２溝部１７ｅより浴室側の部位が切除され、切欠部１４１ｂより出入口２側では保持部加工部１４１ａが鉛直板部１５ａの下端から切除されて下枠１４となる。すなわち、保持部加工部１４１ａは、切欠部１４１ｂが設けられたときに、切欠部１４１ｂを挟んで出入口２側と袖部３側とに分断され、残った保持部加工部１４１ａのうちの出入口２側が切除されることにより残った部位がパネル下保持部１５となる。このとき、下枠本体部１７において、出入口２側にて保持部加工部１４１ａが切除された部位の切断面１４ａは１本の線状をなしている。
【００３３】
下枠１４には、図５（ｃ）、図５（ｄ）に示すように、切欠部１４１ｂより出入口２側に、カバー部材４０及び連通部材５１が取り付けられて、縦骨２０が接合される。
【００３４】
カバー部材４０は、縦骨２０より左側に形成された保持部加工部１４１ａが鉛直板部１５ａの下端から切除された部位に取り付けられる。下枠１４のパネル下保持部１５が切除された部位は、第１溝部１７ｂの底部１７ｃと浴室側平面部１７ｄとが平面をなしており、カバー本体部４０ａは、下面から下方に突出された嵌合片４０ｂが第２溝部１７ｅに嵌合されたときに、第１溝部１７ｂと第２溝部１７ｅとに跨るとともに切断面１４ａを覆うように配置される。このとき、カバー本体部４０ａの上面４０ｃは、脱衣室側傾斜面１７ｇと浴室側傾斜面１７ｈとが繋がるような傾斜をなしている。
【００３５】
縦骨２０は、水平断面が長方形状をなす中空の縦骨本体２０ａと、縦骨本体２０ａの脱衣室に臨む面を形成する脱衣室側壁部２０ｂから右の縦枠１２側に延出されてパネル体２１の左側端部を収容するパネル体保持部２０ｃと、脱衣室側壁部２０ｂから脱衣室側に突出して縦シール材３２が嵌合される縦シール材嵌合部２０ｄと、縦シール材嵌合部２０ｄの脱衣室側の端部から右縦枠方向に延出された引き寄せ片２０ｇとを有している。
【００３６】
縦骨本体２０ａの浴室に臨む面２０ｈは、浴室の内壁３３、及び、下枠１４の浴室側の端面１７ｉとほぼ同一平面を形成するように構成されている。
【００３７】
脱衣室側壁部２０ｂに設けられた縦シール材嵌合部２０ｄは、脱衣室側壁部２０ｂの出入口２側の端部に、上下方向に沿って、障子５が有する戸尻框５ａの浴室側の面に当接される縦シール材３２が嵌合される嵌合溝部２０ｅが、脱衣室側壁部２０ｂから脱衣室側に延出された延出部２０ｆを介して設けられている。
【００３８】
パネル体保持部２０ｃは、パネル体２１の浴室側の面２１ｂが当接される面材当接部２０ｉと、面材当接部２０ｉの出入口２側に設けられパネル体２１を脱衣室側から支持する押縁２４が嵌合される押縁嵌合部２０ｊと、を有している。このパネル体保持部２０ｃは、右縦枠１２に設けられて左右方向が反転した対称形状に形成された面材支持部１２ａとともに、押縁２４が嵌合されてパネル体２１を支持している。
【００３９】
縦骨２０は、下端において、縦骨本体２０ａ、及び、パネル体保持部２０ｃが、嵌合溝部２０ｅ、及び、引き寄せ片２０ｇより下方に長く形成されている。そして、下枠１４には縦骨２０がシール材(不図示)を介して接合されている。また、嵌合溝部２０ｅの浴室側となる延出部２０ｆの下端部２０ｌは、図６（ａ）、（ｂ）に示すように、第１溝部１７ｂの上方に間隔を隔てて配置されており、袖部３側の脱衣室側に進入した水が第１溝部１７ｂに至った際に、第１溝部１７ｂの水を出入口２側に排出するように構成されている。
【００４０】
連通部材５１は、縦骨２０と隣接させて出入口２側に設けられる樹脂製の部材である。連通部材５１は、脱衣室側傾斜面１７ｇ上から浴室側平面部１７ｄ上を覆うように形成されており、下方に突出させて、下枠１４の第２溝部１７ｅに挿入される挿入片５１ａを有している。また、連通部材５１は、縦骨２０の延出部２０ｆの下端部２０ｌと第１溝部１７ｂとの間の空間と出入口２側の空間とを連通する連通空間を有しており、連通空間は、第１溝部１７ｂを伝って延出部２０ｆの下方を通過した水等を、浴室側傾斜面１７ｈ上から浴室方向に導くように構成されている。そして、連通部材５１は、縦骨２０が下枠１４に取り付けられる前に、切欠部１４１ｂ側から見付け方向に移動させて、挿入片５１ａが第２溝部１７ｅに挿入されることにより取り付けられる。
【００４１】
本実施形態の浴室建具１によれば、袖部３を形成するパネル体２１の下端を保持するパネル下保持部１５は、押出成形された下枠基材１４１の突出している保持部加工部１４１ａなので、下枠１４の下枠本体部１７とパネル下保持部１５とは一体をなしている。このため、下枠１４の下枠本体部１７にパネル下保持部１５を取り付ける必要はない。すなわち、別体に形成された部材を取り付けることなく、下枠１４の袖部３側にパネル下保持部１５を備えることが可能である。
【００４２】
また、下枠本体部１７上において保持部加工部１４１ａが切除された部位の切断面１４ａは、１本の線状をなしている。すなわち、押出成形にて形成された下枠基材１４１の保持部加工部１４１ａは、下枠本体部１７となる部位から平板状の鉛直板部１５ａが突出されて形成されている。このため、押出方向に繋がっている保持部加工部１４１ａを線状に切除するだけで、袖部３側のみに、パネル下保持部１５を容易に形成することが可能である。ここで、保持部加工部１４１ａが切除された部位の切断面１４ａが、１本の線状をなしている場合には、保持部加工部１４１ａの切断される部位は、ソリッド状（本実施形態では板状）をなしているが、保持部加工部１４１ａ全体がソリッド状または板状である必要はなく、切断部が板状等のソリッド状をなしていれば、切断部以外の部位は、中空部を有する形状であっても構わない。
【００４３】
また、下枠本体部１７とパネル下保持部１５とが一体なので、万一、袖部３側に水等が進入したとしても、水がパネル下保持部１５を超えて移動することを防止することが可能である。特に、パネル下保持部１５の上延出部１５ｂの上面が、下枠１４と障子５との間を止水する下シール材２２による脱衣室側の止水ラインより高くなるように構成されているので、水がパネル下保持部１５を超えて移動することをより確実に防止することが可能である。
【００４４】
また、保持部加工部１４１ａを切除した切断面１４ａは、パネル下保持部１５と繋がっていた出入口２側の部分を切除した位置なので、浴室側と脱衣室側との境界部となる。このため、切断面１４ａが、脱衣室側の端部となる額縁覆部１９と、額縁覆部１９より低い位置に設けられている浴室側の端部となる下枠１４の浴室側の端面１７ｉとの間に配置されているので、浴室側から脱衣室側への水の進入を抑えることが可能である。また、出入口２側では、突出する保持部加工部１４１ａが切除されているので、切断面１４ａより脱衣室側に進入した水を、より低い浴室側に排出することが可能である。
【００４５】
また、下枠１４の切断面１４ａはカバー部材４０により覆われるので、出入口２にて出入りする人が、直接切断面１４ａを踏むことを防止することが可能である。このとき、切断面１４ａは、脱衣室側にて第１溝部１７ｂが、浴室側に第２溝部１７ｅが配置されており、カバー部材４０は第１溝部１７ｂが設けられていた部位に載置されるとともに第２溝部１７ｅに挿入されているので、カバー部材４０が切断面１４ａを跨ぐ状態にて取り付けられる。このため、切断面１４ａを確実に覆うことが可能である。本実施形態の場合には、保持部加工部１４１ａの出入口２側の部位を、鉛直板部１５ａの下端から切除したので、第１溝部１７ｂが溝状をなさず平坦になったため、カバー部材４０を、第１溝部１７ｂが設けられていた部位に載置したが、保持部加工部１４１ａの出入口２側の部位を切除した際に、鉛直板部１５ａが残存する場合には、第１溝部１７ｂが溝状をなしているので、カバー部材４０は第１溝部１７ｂと第２溝部１７ｅに挿入されて、切断面１４ａとともに鉛直板部１５ａの残存する部位も覆うように配置される。
【００４６】
また、袖部側においては、第２溝部１７ｅにカバー部材４０の嵌合片４０ｂは嵌合されていない。このため、例えば、下枠１４と縦骨２０との間から、パネル体２１より浴室側に水が浸入するようなことがあっても、第２溝部１７ｅに貯留させることが可能である。
【００４７】
また、見付け方向に沿って形成された第１溝部１７ｂは、袖部３側では、脱衣室側に進入した水等を表面から逃がす部位となり、出入口２側ではカバー部材４０が配置される。すなわち、袖部３側では進入した水等の経路として機能し、出入口２側ではカバー部材４０の取り付けに用いられる。このため、袖部３側に進入した水を浴室側に移動させるとともに、カバー部材４０を確実に所定の位置に保持させることが可能である。
【００４８】
また、袖部３側の脱衣室側に進入した水等を第１溝部１７ｂと縦骨２０の延出部２０ｆとの間を通して出入口２側に排出することが可能である。このとき、第１溝部１７ｂの底部１７ｃには、見付け方向に沿って凹凸が設けられているので、第１溝部１７ｂに至った水は表面張力が分散されて見付け方向に広がりやすくなるため、水を第１溝部１７ｂに沿って出入口２側に移動させて効率良く排出させることが可能である。
【００４９】
また、第１溝部１７ｂと第２溝部１７ｅとは、いずれもパネル下保持部１５となる保持部加工部１４１ａに隣接させて形成されるので、パネル下保持部１５となる保持部加工部１４１ａの、見込み方向における両側は、下枠１４の下枠本体部１７の上側の表面より下方に窪んでいる。このため、出入口２側の保持部加工部１４１ａを切除する際には、保持部加工部１４１ａの見込み方向の両側に空間を有しているので、加工器機の刃物が下枠１４の下枠本体部１７の表面に接することなく切除することが可能であり、容易に切除することが可能である。
【００５０】
上記実施形態においては、下枠１４が有するパネル下保持部１５の脱衣室側に第１溝部１７ｂと浴室側に第２溝部１７ｅとを備えた例について説明したが、第１溝部１７ｂ及び第２溝部１７ｅは必ずしも設けられていなくともよい。すなわち、図７に示すように、下枠１４は、脱衣室側傾斜面１７ｇと浴室側傾斜面１７ｈとが繋がった傾斜面１７ｌを形成しており、この傾斜面上にパネル下保持部１５が設けられていてもよい。
【００５１】
また、上記実施形態においては、カバー部材４０が、下枠１４の第２溝部１７ｅに嵌合される嵌合片４０ｂを有する例について説明したが、例えば図８に示すように、カバー部材４０は、保持部加工部１４１ａが切除した切断面１４ａを覆うように第１溝部１７ｂの底部１７ｃと浴室側平面部１７ｄに跨って載置され、縦骨２０及び左側の縦枠１１からそれぞれ対向する側に突出されたカバー保持部２０ｋを備えていても良い。
【００５２】
また、カバー部材４０は、必ずしも凹部に嵌合されていなくとも、下枠１４等に係合されて切断面１４ａを覆う位置に取り付けられる形態であれば構わない。
【００５３】
上記実施形態においては、パネル体２１の下端が収容されるパネル体収容部１５ｃが鉛直板部１５ａより浴室側に設けられている例について説明したが、パネル体収容部１５ｃは鉛直板部１５ａより脱衣室側に設けられていても構わない。
【００５４】
上記実施形態においては、出入口２を見付け方向に移動して開閉可能な障子５を備えた浴室建具１の例について説明したが、出入口を開閉可能な障子は開き戸であっても構わない。
【００５５】
上記実施形態においては、脱衣室側から見たときに、左側の領域に出入口が設けられ、右側の領域に袖部が設けられている例について説明したが、出入口が右側の領域に設けられ、袖部が左側の領域に設けられていてもよい。
【００５６】
上記実施形態においては、浴室建具を例に挙げて説明したが、建具を備える場所は浴室に限らず、例えば、玄関、勝手口、や、サービスヤード、サンルーム、テラスの出入口を備える部位であっても構わない。
【００５７】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５８】
１  浴室建具、２  出入口、３  袖部、１４  下枠、１４ａ  切断面、
１５  パネル下保持部、１７  下枠本体部、１７ｂ  第１溝部、１７ｅ  第２溝部、
１７ｉ  端面、１９  額縁覆部、２０  縦骨、２０ａ  縦骨本体、
２０ｌ  縦骨の下端部、２１  パネル体、４０  カバー部材、
１４１  下枠基材、１４１ａ  保持部加工部、１７０  基材本体部、
１７１  基材傾斜部
【図１】
0005607004.tif 000002
【図３】
0005607004.tif 000003
【図４】
0005607004.tif 000004
【図５】
0005607004.tif 000005
【図７】
0005607004.tif 000006
【図８】
0005607004.tif 000007
【図２】
0005607004.tif 000008
【図６】
0005607004.tif 000009